(57)【要約】  光学情報記録再生方法は、オーバーライトが可能な光学情報記録媒体に予め保持されている所定の情報を読み出すステップと、所定の情報と、媒体に情報を記録再生する装置に予め保持されている別の所定の情報と、所定の情報および別の所定の情報を混合した情報とからいずれかの情報を選択して、選択された情報に基づいて光学情報記録媒体に記録するための記録ストラテジを調整するステップと、調整された記録ストラテジに基づいて、記録信号を生成するステップとを具備する。ストラテジを調整するステップは、パルストレイン型ストラテジの波形における複数のパラメータのそれぞれに初期値を設定するステップと、複数のパラメータのそれぞれに設定された初期値に基づいて、第１記録パワーを選定するステップと、選定された第１記録パワーに基づいて、基準消去パワーを選定するステップと、複数のパラメータのそれぞれに設定された初期値と、選定された第１記録パワーと、選定された基準消去パワーとに基づいて、基準記録パワーを選定するステップと、複数のパラメータのそれぞれに設定された初期値と、選定された第１記録パワーと、選定された基準消去パワーと、基準記録パワーとに基づいて、基準冷却パルスの長さを選定するステップとを具備する。
2009119632.tif 000002
【特許請求の範囲】
【請求項１】
オーバーライトが可能な光学情報記録媒体に予め保持されている所定の情報を読み出すステップと、
前記所定の情報と、前記媒体に情報を記録再生する装置に予め保持されている別の所定の情報と、前記所定の情報および前記別の所定の情報を混合した情報とからいずれかの情報を選択して、前記選択された情報に基づいて前記光学情報記録媒体に記録するための記録ストラテジを調整するステップと、
前記調整された記録ストラテジに基づいて、記録信号を生成するステップと
を具備し、
前記ストラテジを調整するステップは、
パルストレイン型ストラテジの波形における複数のパラメータのそれぞれに初期値を設定するステップと、
前記複数のパラメータのそれぞれに設定された初期値に基づいて、第１記録パワーを選定するステップと、
前記選定された第１記録パワーに基づいて、基準消去パワーを選定するステップと、
前記複数のパラメータのそれぞれに設定された初期値と、前記選定された第１記録パワーと、前記選定された基準消去パワーとに基づいて、基準記録パワーを選定するステップと、
前記複数のパラメータのそれぞれに設定された初期値と、前記選定された第１記録パワーと、前記選定された基準消去パワーと、前記基準記録パワーとに基づいて、基準冷却パルスの長さを選定するステップと
を具備し、
前記複数のパラメータのそれぞれに初期値を設定するステップは、
前記波形が有する複数の記録パルスに共通する幅として、所定の記録パルス幅初期値を設定するステップと、
前記波形が有する冷却パルスの幅として、所定の冷却パルス幅初期値を設定するステップと、
前記波形が有するボトムパワーの値として、所定のボトムパワー初期値を設定するステップと、
前記波形が有する消去パワーの値として、所定の消去パワー初期値を設定するステップと
を具備し、
前記第１記録パワーを選定するステップは、
前記第１記録パワーの値として、所定の範囲に含まれる複数の値を順次設定するステップと、
前記複数の値のそれぞれについて、前記光学情報記録媒体上に、前記選定された第１記録パワーに基づいて、信号を記録するステップと、
前記複数の値のそれぞれについて、前記記録された信号を前記光学情報記録媒体から再生するステップと、
前記複数の値のそれぞれについて、前記再生された信号に基づいて、アシンメトリ値を測定するステップと、
前記測定されたアシンメトリ値に基づいて、最も好ましい第１記録パワーの値を選択するステップと
を具備し、
前記最も好ましい第１記録パワーの値を選択する基準は、前記第１記録パワーの値に対応する前記アシンメトリ値の絶対値が所定の値を超えていることであり、
前記基準消去パワーを選定するステップは、
前記基準消去パワーの値として、所定の範囲に含まれる複数の値を順次設定するステップと、
前記複数の値のそれぞれについて、前記光学情報記録媒体上に、前記設定された基準消去パワーで、信号の記録を行うステップと、
前記複数の値のそれぞれについて、前記記録された信号を前記光学情報記録媒体から再生するステップと、
前記複数の値のそれぞれについて、前記再生された信号に基づいて、振幅値と、アシンメトリ値とを測定するステップと、
前記測定された振幅値と、アシンメトリ値とに基づいて、最も好ましい基準消去パワーの値を選定するステップと
を具備し、
前記最も好ましい基準消去パワーの値を選択する基準は、前記振幅値の減少率が最大値を迎える近傍の消去パワーより低い値で、かつ、前記アシンメトリ値の極性が先の第１記録パワー選定ステップの結果と同じで、かつ、前記アシンメトリ値の絶対値が最小となることである
光学情報記録再生方法。
【請求項２】
請求の範囲１に記載の光学情報記録再生方法において、
前記パルストレイン型ストラテジの波形における複数のパラメータのうち、前記複数の記録パルスに共通する幅を所定の探索範囲内で変更した上で、前記複数のパラメータのそれぞれに初期値を設定するステップと、前記第１記録パワーを選定するステップと、前記基準消去パワーを選定するステップと、前記基準記録パワーを選定するステップと、前記基準冷却パルスの長さを選定するステップとを繰り返すステップと、
前記複数の記録パルスに共通する幅のそれぞれにおける、最も好ましい記録ストラテジを選定するステップと
をさらに具備し、
前記５つのステップを繰り返すステップは、
前記複数の記録パルスに共通する幅の探索範囲の終了を判断した場合において、前記最も好ましい記録ストラテジを選定するステップに移行するステップ
を具備する
光学情報記録再生方法。
【請求項３】
請求の範囲２に記載の光学情報記録再生方法において、
前記基準記録パワーを選定するステップは、
前記基準記録パワーの値として、所定の範囲に含まれる複数の値を順次設定するステップと、
前記複数の値のそれぞれについて、前記光学情報記録媒体上に、前記設定された基準記録パワーで、信号の記録を行うステップと、
前記複数の値のそれぞれについて、前記記録された信号を前記光学情報記録媒体から再生するステップと、
前記複数の値のそれぞれについて、前記再生された信号に基づいて、アシンメトリ値を測定するステップと、
前記測定されたアシンメトリ値に基づいて、最も好ましい基準記録パワーの値を選定するステップと
を具備し、
前記最も好ましい基準記録パワーの値を選択する基準は、前記基準記録パワーの低下に対して、前記基準消去パワーを選定するステップでのアシンメトリ値の極性とは極性が変化し、かつその絶対値が第２の所定の値以下となることである
光学情報記録再生方法。
【請求項４】
請求の範囲２または３に記載の光学情報記録再生方法において、
前記基準冷却パルスの長さを選定するステップは、
前記基準冷却パルスの長さとして、所定の範囲に含まれる複数の値を順次設定するステップと、
前記複数の値のそれぞれについて、前記光学情報記録媒体上に、前記設定された基準冷却パルスの長さで、信号を記録するステップと、
前記複数の値のそれぞれについて、前記記録された信号を前記光学情報記録媒体から再生するステップと、
前記複数の値のそれぞれについて、前記再生された信号に基づいて、再生信号品質値を測定するステップと、
前記測定された再生信号品質値が最も良い基準冷却パルスの長さを選定するステップと
を具備する
光学情報記録再生方法。
【請求項５】
請求の範囲２〜４のいずれかに記載の光学情報記録再生方法において、
前記最も好ましい記録ストラテジを選定するステップは、
前記好ましい記録ストラテジが複数見つかった場合には、性能劣化がより少ない記録ストラテジを選定するステップ
を具備する
光学情報記録再生方法。
【請求項６】
請求の範囲１〜５のいずれかに記載の光学情報記録再生方法において、
前記記録ストラテジを調整するステップ
を具備する
記録ストラテジ調整方法。
【請求項７】
オーバーライトが可能な光学情報記録媒体に予め保持されている所定の情報を読み出す再生信号読み出し回路部と、
前記所定の情報と、自ら予め保持する別の所定の情報と、前記所定の情報および前記別の所定の情報を混合した情報とからいずれかの情報を選択して、前記選択された情報に基づいて前記光学情報記録媒体に記録するための記録ストラテジを調整する記録ストラテジ調整部と、
前記記録ストラテジ調整部が調整した前記記録ストラテジに基づいて記録信号を生成する記録信号生成回路部と
を具備し、
前記記録ストラテジ調整部は、
パルストレイン型ストラテジの波形における複数のパラメータのそれぞれに初期値を設定するパルストレイン波形パラメータ設定部と、
前記複数のパラメータのそれぞれに設定された初期値に基づいて、第１記録パワーを選定する第１記録パワー選定部と、
前記選定された第１記録パワーに基づいて、基準消去パワーを選定する基準消去パワー選定部と、
前記複数のパラメータのそれぞれに設定された初期値と、前記選定された第１記録パワーと、前記選定された基準消去パワーとに基づいて、基準記録パワーを選定する基準記録パワー選定部と、
前記複数のパラメータのそれぞれに設定された初期値と、前記選定された第１記録パワーと、前記選定された基準消去パワーと、前記基準記録パワーとに基づいて、基準冷却パルスの長さを選定する基準冷却パルス選定部と
を具備し、
前記パルストレイン型ストラテジの波形における複数のパラメータのそれぞれに設定される初期値は、
前記波形が有する複数の記録パルスに共通する幅として設定される所定の記録パルス幅初期値と、
前記波形が有する冷却パルスの幅として設定される所定の冷却パルス幅初期値と、
前記波形が有するボトムパワーの値として設定される所定のボトムパワー初期値と、
前記波形が有する消去パワーの値として設定される所定の消去パワー初期値と
を具備し、
前記第１記録パワー選定部は、
前記第１記録パワーの値として、所定の範囲に含まれる複数の値を順次設定する第１の設定部と、
前記複数の値のそれぞれについて、前記光学情報記録媒体上に、前記第１の設定部で設定された第１記録パワーで、信号の記録を行う第１の記録部と、
前記複数の値のそれぞれについて、前記第１の記録部で記録された信号を前記光学情報記録媒体から再生する第１の再生部と、
前記複数の値のそれぞれについて、前記第１の再生部で再生された信号に基づいて、アシンメトリ値を測定する第１の測定部と、
前記第１の測定部で測定されたアシンメトリ値に基づいて、最も好ましい第１記録パワーの値を選択する第１の選択部と
を具備し、
前記最も好ましい第１記録パワーの値を選択する基準は、前記第１記録パワーの値に対応する前記アシンメトリ値の絶対値が所定の値を超えていることであり、
前記基準消去パワー選定部は、
前記基準消去パワーの値として、所定の範囲に含まれる複数の値を順次設定する第２の設定部と、
前記複数の値のそれぞれについて、前記光学情報記録媒体上に、前記第２の設定部で設定された基準消去パワーで、信号の記録を行う第２の記録部と、
前記複数の値のそれぞれについて、前記第２の記録部で記録された信号を前記光学情報記録媒体から再生する第２の再生部と、
前記複数の値のそれぞれについて、前記第２の再生部で再生された信号に基づいて、振幅値と、アシンメトリ値とを測定する第２の測定部と、
前記第２の測定部で測定された振幅値と、アシンメトリ値とに基づいて、最も好ましい基準消去パワーの値を選定する第２の選定部と
を具備し、
前記最も好ましい基準消去パワーの値を選択する基準は、前記振幅値の減少率が最大値を迎える近傍の消去パワーより低い値で、かつ、前記アシンメトリ値の極性が先の第１記録パワー選定ステップの結果と同じで、かつ、前記アシンメトリ値の絶対値が最小となることである
光学情報記録再生装置。
【請求項８】
請求の範囲７に記載の光学情報記録再生装置において、
前記記録ストラテジ調整部は、
前記パルストレイン型ストラテジの波形における複数のパラメータのうち、前記複数の記録パルスに共通する幅を所定の探索範囲内で変更した上で、前記パルストレイン波形パラメータ設定部と、前記第１記録パワー選定部と、前記基準消去パワー選定部と、前記基準記録パワー選定部と、前記基準冷却パルス選定部とを動作させるパルスストレイン波形パラメータ変更部と、
前記複数の記録パルスに共通する幅のそれぞれにおける、最も好ましい記録ストラテジを選定する最終ストラテジ選定部と、
前記複数の記録パルスに共通する幅の探索範囲の終了を判断した場合において、前記最終ストラテジ選定部を動作させる探索設定範囲判断部と
をさらに具備する
光学情報記録再生装置。
【請求項９】
請求の範囲８に記載の光学情報記録再生装置において、
前記基準記録パワー選定部は、
前記基準記録パワーの値として、所定の範囲に含まれる複数の値を順次設定する第３の設定部と、
前記複数の値のそれぞれについて、前記光学情報記録媒体上に、前記第３の設定部で設定された基準記録パワーで、信号の記録を行う第３の記録部と、
前記複数の値のそれぞれについて、前記第３の記録部で記録された信号を前記光学情報記録媒体から再生する第３の再生部と、
前記複数の値のそれぞれについて、前記第３の再生部で再生された信号に基づいて、アシンメトリ値を測定する第３の測定部と、
前記第３の測定部で測定されたアシンメトリ値に基づいて、最も好ましい基準記録パワーの値を選定する第３の選定部と
を具備し、
前記最も好ましい基準記録パワーの値を選択する基準は、前記基準記録パワーの低下に対して、前記第１の測定部が測定したアシンメトリ値の極性とは極性が変化し、かつその絶対値が第２の所定の値以下となることである
光学情報記録再生装置。
【請求項１０】
請求の範囲８または９に記載の光学情報記録再生装置において、
前記基準冷却パワー選定部は、
前記基準冷却パルスの長さとして、所定の範囲に含まれる複数の値を順次設定する第４の設定部と、
前記複数の値のそれぞれについて、前記光学情報記録媒体上に、前記第４の設定部で設定された基準冷却パルスの長さで、信号の記録を行う第４の記録部と、
前記複数の値のそれぞれについて、前記第４の記録部で記録された信号を前記光学情報記録媒体から再生する第４の再生部と、
前記複数の値のそれぞれについて、前記第４の再生部で再生された信号に基づいて、再生信号品質値を測定する第４の測定部と、
前記第４の測定部で測定された再生信号品質値が最も良い基準冷却パルスの長さを選定する第４の選定部と
を具備する
光学情報記録再生装置。
【請求項１１】
請求の範囲８〜１０のいずれかに記載の光学情報記録再生装置において、
前記記録信号生成回路部が生成した信号を前記光学情報記録媒体に記録し、また、前記光学情報記録媒体に記録された任意の信号を再生するための光学情報記録媒体制御部と、
前記記録信号生成回路部と、前記光学情報記録媒体制御部と、前記再生信号読み出し回路部とを制御するためのシステムコントローラと
をさらに具備し、
前記システムコントローラは、
前記記録ストラテジ調整部
を具備し、
前記記録信号生成回路部は、前記第１の記録部と、前記第２の記録部と、前記第３の記録部と、前記第４の記録部とに接続されており、
前記再生信号読み出し回路部は、前記第１の再生部と、前記第２の再生部と、前記第３の再生部と、前記第４の再生部とに接続されている
光学情報記録再生装置。
【請求項１２】
請求の範囲７〜１１のいずれかに記載の光学情報記録再生装置における
記録ストラテジ調整部。
【発明の詳細な説明】
【技術分野】
【０００１】
本発明は、光学情報記録媒体に情報を記録するための記録ストラテジ調整方法と、この方法を用いた光学情報記録再生装置とに係り、特に、情報の消去と記録とを一体で行うオーバーライトが可能な光学情報記録媒体に情報を記録するための記録ストラテジ調整方法と、この方法を用いた光学情報記録再生装置とに係る。
【背景技術】
【０００２】
光ディスク装置とは、光ヘッドを用いて、光ディスクに情報を記録したり、記録された情報を読みだしたりする装置である。そのような光ディスク装置において、記録または再生時に光ディスク装置の性能そのものを左右するいくつかの要因が存在する。【０００３】
記録に関していえば、記録マークを形成する照射光量の制御はその中でも非常に重要な要因である。照射光量の制御は、一般的に、記録パワー、バイアスパワーなどの出力レベルの制御と、レーザパルスのパルス幅やパルス位置（時間方向）の制御とを含む。当該技術領域では、両方の制御を包括して、記録ストラテジと呼ぶ。【０００４】
図１Ａ〜図１Ｅは、記録ストラテジにおける複数の例を示す波形図群である。図１Ａ〜図１Ｅの各波形図において、横軸は時間経過を表し、縦軸は記録信号の強度を表す。図１Ａ〜図１Ｅに示すように、記録ストラテジにはいろいろな種類があり、記録するメディアや記録速度によって、出力レベルやパルス形状が異なる。図１Ａは、記録ストラテジにおける、記録されるべきパターンの例を示す波形図である。図１Ｂは、記録ストラテジにおける、オーバーライト記録用のパルストレイン記録ストラテジの例を示す波形図である。図１Ｃは、記録ストラテジにおける、非オーバーライト記録用のパルストレイン型記録ストラテジの例を示す波形図である。図１Ｄは、記録ストラテジにおける、単純矩形型記録ストラテジの例を示す波形図である。図１Ｅは、記録ストラテジにおける、部分強調矩形型記録ストラテジの例を示す波形図である。【０００５】
近年出荷され始めた次世代ＤＶＤであるＨＤ  ＤＶＤ（Ｈｉｇｈ  Ｄｅｆｉｎｉｔｉｏｎ  ＤＶＤ）の場合、追記型のＨＤ  ＤＶＤ−Ｒでも、書き換え可能型のＨＤ  ＤＶＤ−ＲＷまたはＨＤ  ＤＶＤ−ＲＡＭでも、パルストレイン型の記録ストラテジが主に使用されている。【０００６】
このような各種ストラテジを備えた光ディスク装置では、通常、媒体が装填されると、まず、ディスクからディスクの種類や媒体メーカ名等を読み取る。そして、予め代表的な装置で校正された、各々の媒体に応じたストラテジや媒体に埋め込まれた推奨記録ストラテジを用いて、ＯＰＣ（Ｏｐｔｉｍｕｍ  Ｐｏｗｅｒ  Ｃｏｎｔｒｏｌ）と言われる記録パワーの調整を行う。光ディスク媒体はディスクの一部に記録パワーを調節するエリアを持っていてその領域にて記録パワーの調節のみが適宜、行なわれるようになっている。記録パワーの調整方法としては、長いマークと短いマークの再生振幅により得られるアシンメトリを検査してβ値を求めるβ法と、記録マーク振幅の飽和の程度から判断するγ法が知られている。従来のＤＶＤ−Ｒではβ法が用いられ、オーバーライト可能なＤＶＤ−ＲＷ、ＤＶＤ＋ＲＷではγ法が使用されるのが一般的であるが、この制限に限られるわけではない。なお、記録ストラテジに関しては、適宜調整するという規定はなく、事前に校正した情報やディスクに埋め込まれた情報だけが頼りとなってくる。【０００７】
ここで、光ディスクにおいて使用されるいくつかの性能指標に関して説明する。図２は、先に述べたβ値の算出方法の一例を示す図である。図２のタイムチャートにおいて、横軸は時間の経過を表し、縦軸は再生信号の強度を表す。図２に示すように、まず、長マークと短マーク、例えば１１Ｔと３Ｔの再生波形からＲｅｆに対する１１ＴのピークレベルＡと１１ＴのボトムレベルＢとを求め、
β＝０．５×（Ａ−Ｂ）／（Ａ＋Ｂ）  …（１）
なる定義式より算出する。【０００８】
Ｒｅｆは短マーク再生振幅の中心に設定している。上記（１）式が意味するところは、各パターンの最小値、最大値、平均レベル（平均電圧）等の信号レベルを使用して、最大振幅の中心と最小振幅の中心のズレを示しており、アシンメトリと同義として用いられる。この指標はアナログ処理で求めることが可能であるが、デジタル処理を用いても、再生信号から所望の信号を取り込むことによって算出が可能である。【０００９】
また、β値は記録信号品質の評価指標であるジッタσやエラー数と相関があることを利用し、β値がある範囲にある場合に実際の装置で使用可能と判定できることとなる。従って、β値の値そのものが性能を保証するものではない。β値と性能の絶対値指標、例えばエラー数やエラーレートやジッタ値との対応を取れば、その値は意味を持つ。そこで、β値は、主に調整目標値として用いられる。アナログ処理が可能なので、記録したパターン列の信号品質が悪くても検出が可能である。これは、記録された状態への依存が低いということである。また、β値は、記録された信号のずれている方向が判定できる指標でもあり、極性をもっている指標でもある。【００１０】
ここで、β値の極性は、使用される回路の構成や、使用する媒体、例えば、記録部分の反射率が未記録部分の反射率よりも高くなる、若しくは低くなるかによっても変わることになるが、本明細においては、記録パワー増加に伴い、記録されるマークがスペースよりも相対的に長くなる時にβ値は負（マイナス）の極性を持ち、反対に記録マークがスペースよりも相対的に短くなっていく場合のβ値は正（プラス）の極性を持つと表現することとする。図３は、図２に比し、マークがスペースに対し相対的に長くなった場合のタイムチャートの例を示す。この場合、例えば図２から図３のように変化するβ値の変化方向は下であり、その値は負極性となる。【００１１】
また、さらに高密度化された次世代ＤＶＤである、ＨＤ  ＤＶＤにおいてはＰＲＭＬ（Ｐａｒｔｉａｌ  Ｒｅｓｐｏｎｓｅ  Ｍａｘｉｍｕｍ  Ｌｉｋｅｌｉｈｏｏｄ）検出が用いられる。ＨＤ  ＤＶＤではジッタ自体が測定できないので、ＰＲＳＮＲ（Ｐａｒｔｉａｌ  Ｒｅｓｐｏｎｓｅ  Ｓｉｇｎａｌ  ｔｏ  Ｎｏｉｓｅ  Ｒａｔｉｏ）という指標が導入されている。ＰＲＳＮＲはジッタに代わる信号品質評価指標であり、ＨＤ  ＤＶＤにおいて採用された指標で、ＰＲＭＬ検出におけるＳＮＲ（Ｓｉｇｎａｌ  ｔｏ  Ｎｏｉｓｅ  Ｒａｔｉｏ）値である。さらに、ＰＲＳＮＲはエラーレートへの換算も可能で、この値が高ければ高いほど信号品質は優れていることを意味し、ジッタやエラーレートとは逆である。非特許文献１（Ｊａｐａｎｅｓｅ  Ｊｏｕｒｎａｌ  ｏｆ  Ａｐｐｌｉｅｄ  Ｐｈｙｓｉｃｓ  Ｖｏｌ．４３，  Ｎｏ．７Ｂ，  ２００４，  ｐｐ．４８５９−４８６２  “Ｓｉｇｎａｌ−ｔｏ−Ｎｏｉｓｅ  Ｒａｔｉｏ  ｉｎ  ａ  ＰＲＭＬ  Ｄｅｔｅｃｔｉｏｎ”  Ｓ．ＯＨＫＵＢＯ  ｅｔ  ａｌ．）には、エラーレートへの換算も含め、ＰＲＳＮＲの詳細が開示されている。【００１２】
再生波形の品質を評価する他の方法としては、直接エラーレートやエラーバイト数を求めてしまう方法もある。これらは性能の絶対値を示す指標である。ただし、記録ストラテジが大きくずれているような状態で記録された信号では同期クロックの抽出が厳しくなり、様々な条件下において汎用的に用いることは難しい。【００１３】
次に、記録ストラテジは光ディスクの記録再生性能に大きく影響するため、以前から多くの記録方法（記録ストラテジ）や記録ストラテジの調整方法が考案されてきた。【００１４】
上記に関連して、特許文献１（特開平１０−６４０６４号公報）には、光ディスク記録方法およびその装置に係る発明が開示されている。
特許文献１には、書込みパワー以外の消去パワー、ボトムパワーを調整する記載がある。これは、書込パワーを最初に変化させ、その後、消去パワー、ボトムパワーをそれぞれ変化させてテスト記録を行い、テスト記録後、これを再生して、アシンメトリ値または変調度が目標値となるか、またはエラーレートが最低となる書込パワー、消去パワー、ボトムパワーの各最適値を求め、これら最適値の組合せを用いて実記録を行う方法である。【００１５】
また、特許文献２（特開２０００−９０４３５号公報）には、記録装置に係る発明が開示されている。
特許文献２には、（最小記録マークの振幅の中心）／（最大記録マークの振幅の中心）の値に応じて、連続冷却パルスＣＰ中の最終冷却パルスＥＣＰの時間、先頭加熱パルスＳＰの時間、マルチパルスのデューティー何れか１つ又は２つ或いは３つを補正することで、相変化型光ディスクに対してマークエッジ記録方式で記録した後のマークのアシンメトリを調整する手法が述べられている。【００１６】
ここで、具体的な調整として先頭パルスとマルチパルスのデューティーは先頭加熱パルスＳＰを１Ｔ、マルチパルスのデューティーは０．５Ｔとして調整を開始し、先頭加熱パルスＳＰの幅をＴ／４刻み若しくはＴ／８刻みで小さくすると同時にマルチパルスのデューティーをＴ／８刻みで小さくして振幅中心の比が１になるようにストラテジを変化させる記述がある。これは、先頭加熱パルスとマルチパルスを小さくなる方向に同時に変化させ、振幅中心を必ずできるだけ１に近くするという調整方法である。【００１７】
また、特許文献３（特開２００３−８５７５５号公報）には、相変化型光ディスク用記録方法に係る発明が開示されている。
特許文献３には、記録ストラテジのマルチパルス部の熱量デューティーと記録パワーとを変動させて相変化型光情報記録媒体に試し記録を行い、試し記録した領域の再生ＲＦ信号のβ値を取得し、各熱量デューティー毎にβ値の極大値を取得し、極大値のうち最も大きい極大値をとる熱量デューティーをマルチパルス部の熱量デューティーとする記載と、記録速度を記録パワーの変動に対するβ値の変動の傾きが−５％／ｍＷ以上３％／ｍＷ以下となる範囲内で変動させる記載と、試し記録する際の記録パワーを、記録パワーの変動に対するβ値の変動の傾きが±２％以内となる範囲内で変動させる記載とがある。【００１８】
また、特許文献４（特開２００４−５５１１５号公報）には、光記録媒体の記録方法に係る発明が開示されている。
特許文献４には、ディスクから得られる記録条件に基づいて、テスト記録において、記録パルス信号中のクーリングパルスのレベルを変更しつつ記録をし、テスト記録データを再生して再生信号波形を評価し、目標アシンメトリ値が得られるクーリングレベルを最適クーリングレベルとして設定する記載がある。【００１９】
また、特許文献５（再公表ＷＯ２００５／０３４１０９号公報）には、情報記録装置に係る発明が開示されている。
特許文献５には、記録手段と、算出手段と、測定手段と、修正手段とを有することを特徴とする情報記録装置に係る記載がある。ここで、記録手段は、設定値に応じた記録パワーのレーザ光を情報記録媒体に照射して当該情報記録媒体に記録情報を記録するためのものである。算出手段は、記録手段において、設定値を変化させながら記録された試し記録情報を再生することにより、設定値と再生品質との相関を表す相関情報を作成するとともに、所望の再生品質であるターゲット再生品質が得られる基準設定値を求めるためのものである。測定手段は、記録手段において、基準設定値を用いて記録された記録情報を再生することにより、再生品質を測定するためのものである。修正手段は、測定手段が測定した再生品質と、ターゲット再生品質とが異なる場合、相関情報に基づいて基準設定値の修正量を求め、且つ該修正量に基づく修正後の設定値が新たな基準設定値となるように基準設定値を修正するためのものである。【００２０】
また、特許文献６（特開２００７−５８９３９号公報）には、光ディスク装置に係る発明が開示されている。
特許文献６には、装填された記録媒体のメーカ、バージョン情報を記録装置は比較し、対応した情報がある場合にはそれを使用し、ない場合には記録光波形、記録出力、記録光波長などの記録方法に関する情報を検索し、一致する情報がある場合にはそれを使用し、ない場合には基準記録方法または記録媒体に記録されている記録方法を用いて、試し記録を行い、記録品質を評価し、さらに記録波形、記録パワー、消去パワーを調整する記載がある。【００２１】
また、特許文献７（特開２００７−１４９２３８号公報）には、光ディスク装置に係る発明が開示されている。
特許文献７には、光ディスクにレーザ光を照射し情報の記録または再生を行う光ディスク装置に係る記載がある。この光ディスク装置は、ディスクモータと、モータ駆動回路と、レーザダイオードと、レーザ駆動回路と、温度検知手段と、β測定手段と、記録パワー補正率演算手段と、制御手段とを備える。ここで、ディスクモータと、光ディスクを回転駆動するためのものである。モータ駆動回路は、ディスクモータを駆動するためのものである。レーザダイオードは、レーザ光を発光するためのものである。レーザ駆動回路は、レーザダイオードを駆動するためのものである。温度検知手段は、レーザダイオードまたはその近傍の温度を検知するためのものである。β測定手段は、光ディスクからの反射レーザ光に基づく再生信号から、光ディスクに記録されている記録マークのβ値を測定するためのものである。記録パワー補正率演算手段は、予め設定されている目標のβ値と測定したβ値との差分を求め、差分に応じて記録ストラテジの高パワーレベル側の記録パワーの補正率を演算し、演算結果の信号をレーザ駆動回路側に出力するためのものである。制御手段は、モータ駆動回路、β測定手段及び記録パワー補正率演算手段を制御するためのものである。この光ディスク装置は、レーザダイオードまたはその近傍の温度が基準値を超えて変化したとき、温度検知手段の出力に基づき記録動作を一時停止させ、β測定手段により記録マークのβ値を測定し、測定結果に基づき記録パワー補正率演算手段により記録ストラテジの高パワーレベル側における記録パワーの補正率を演算し、演算した補正率により記録ストラテジの高パワーレベル側の記録パワーを補正する。【００２２】
また、特許文献８（特開２００７−１４９３０４号公報）には、光ディスク記録再生装置に係る発明が開示されている。
特許文献８には、多層の記録層を持つ書き換え可能な光ディスクに対して、設定したパワーのレーザ光を用いて記録／再生を行う光ディスク記録再生装置に係る記載がある。この光ディスク記録再生装置は、第１設定の記録手段と、ＤＣ消去手段と、記録状態検出手段と、ＤＣ消去パワー用の判定手段と、消去パワー用の演算手段と、第２設定の記録手段と、記録パワー用の判定手段と、記録パワー用の演算手段とを備える。ここで、第１設定の記録手段は、所定の記録条件で、記録層を結晶状態からアモルファス状態に変化させる記録パワーと、記録層をアモルファス状態から結晶状態に変化させる消去パワーと、記録層への記録時の熱拡散を防止するためのバイアスパワーとを設定し、設定した記録パワー、消去パワー及びバイアスパワーを所定の順序で変化させたレーザ光により、光ディスクの所定領域にテスト記録信号を記録するためのものである。ＤＣ消去手段は、第１設定の記録手段によりテスト記録信号を記録した光ディスクの領域を、設定した消去パワーに関連したパワーを基準とし、かつ、レベルが段階的に変化する消去パワーであるＤＣ消去パワーのみのレーザ光により記録を行うためのものである。記録状態検出手段は、テスト記録信号を記録した光ディスクの領域を再生して、その再生信号の変調度、該変調度の正規化された傾き特性を示すパラメータであるγ値、及び再生信号の非対称性を表すパラメータ（β値又はアシンメトリ値）のうちの少なくとも１つを検出するためのものである。ＤＣ消去パワー用の判定手段は、ＤＣ消去手段でＤＣ消去パワーで記録を行った、消去パワーが互いに異なる複数の領域を再生して、記録状態検出手段がそれぞれ検出した値の中で、ＤＣ消去パワー用の所定の検出値若しくは検出条件と一致する検出値を判定するためのものである。消去パワー用の演算手段は、ＤＣ消去パワー用の判定手段で検出値が一致した領域でのＤＣ消去パワー値に、所定の第１の係数を乗算して最適な消去パワーのレベルを求めるためのものである。第２設定の記録手段は、第１設定の記録手段における消去パワーの設定値を消去パワー用の演算手段で検出した消去パワーの値に変更し、光ディスクのＤＣ消去手段で記録した領域とは異なる領域に、記録パワーのみを可変したレーザ光により、テスト記録信号を記録するためのものである。記録パワー用の判定手段は、第２設定の記録手段で記録を行った領域を再生して記録状態検出手段が検出した値が記録パワー用の所定の検出値もしくは検出条件と一致したかを判定するためのものである。記録パワー用の判定手段で検出値が一致した領域での記録パワー値に、所定の第２の係数を乗算して最適な記録パワーのレベルを求めるためのものである。この光ディスク記録再生装置は、光ディスク記録時の最適な消去パワーの値と記録パワーの値を導き出すようにしたことを特徴とする。【００２３】
また、特許文献９（特開２００７−１５７１９６号公報）には、光ディスク装置に係る発明が開示されている。
特許文献９には、光ディスクにデータを記録および再生する光ディスク装置に係る記載がある。この光ディスク装置は、信号形成回路と、光ピックアップと、検出回路と、制御回路とを備える。ここで、信号形成回路は、第１のテスト信号を生成するためのものである。光ピックアップは、該信号形成回路から供給される第１のテスト信号に基づいて該光ディスクにレーザ光を照射して第１のテスト信号を記録し、また該光ディスクから第１のテスト信号を再生するためのものである。検出回路は、光ピックアップの再生した第１のテスト信号から非対称性を示すβ値を取得するためのものである。制御回路は、検出回路の取得したβ値が目標β値となる記録パワーから最適の記録パワーＰｗｏを設定するためのものである。信号形成回路は、第１のテスト信号として、消去パワーＰｅを固定し記録パワーＰｗを変化させたテスト信号を生成する。【００２４】
また、特許文献１０（特開２００７−２２６９１６号公報）には、光記録再生装置に係る発明が開示されている。
特許文献１０には、レーザにより情報が記録される記録媒体に形成されたマークのフロントエッジとリアエッジとによって、情報が記録される光記録再生装置に係る記載がある。この光記録再生装置は、記録パルスシフト設定部と、マークエッジ位置評価部と、仮定部と、感度算出部と、ライトストラテジ算出部とを備える。ここで、記録パルスシフト設定部は、一のマークと、一のマークの直前に位置する他のマークとの間の直前スペース長、及び、一のマークの直後に位置する他のマークとの間の直後スペース長に応じて、レーザの記録波形である記録パルスのフロントエッジとリアエッジとをシフトさせて、記録パルスのライトストラテジを設定するためのものである。マークエッジ位置評価部は、ライトストラテジに基づいて形成されたマークのフロントエッジとリアエッジとを検出し、マークのフロントエッジの位置誤差であるフロントマークエッジ位置誤差とマークのリアエッジの位置誤差であるリアマークエッジ位置誤差とを検出するためのものである。仮定部は、フロントマークエッジ位置誤差が記録パルスのフロントエッジのシフト量と記録パルスのリアエッジのシフト量とを変数とする第１の線形関数により表現されると仮定し、かつ、リアマークエッジ位置誤差が記録パルスのフロントエッジのシフト量と記録パルスのリアエッジのシフト量とを変数とする第２の線形関数により表現されると仮定するためのものである。感度算出部は、直前スペース長と直後スペース長との各組合せについて、テスト記録を実行した後、マークエッジ位置評価部により検出されたフロントマークエッジ位置誤差とリアマークエッジ位置誤差とにより、第１の線形関数と第２の線形関数とに含まれる各比例係数で表現された感度を算出するためのものである。ライトストラテジ算出部は、感度に基づいて、記録パルスのライトストラテジを算出するためのものである。
【発明の開示】
【００２５】
記録ストラテジの調整項目は記録パルス幅、複数のパワーレベルなど、パラメータが多岐にわたる。従って、パラメータの最適化には多大な時間を要するばかりでなく、指針なく調整した場合、必ずしも所望の性能を引き出す調整とならない場合がある。また、調整者の熟練度に依存する場合もあり、最適化の効果もばらつくという問題があった。
【００２６】
これに対し、特許文献３では、βの極大を得るために記録速度を限定する必要があり、変動傾きの絶対値を規定すると、その状態に別の条件を合わせる必要がある。このため、汎用性に乏しく必ずしも簡便な方法とはならない。
【００２７】
特許文献２のように、方針なくやみくもに調整を行っても、必ずしも十分な記録再生性能を得ることはできない。特に、先頭加熱パルスとマルチパルスを小さくなる方向に同時に変化させる方法では、初期のパルス幅の組合せが悪い場合には、必ずしも最高の媒体性能を引き出すことは容易ではなく、汎用性に乏しい。
【００２８】
記録ストラテジにおいて消去パワーが性能に影響することは知られている。特許文献１の方法によると、最初に記録パワーを決定する。しかし、この記録パワーは記録パワー決定時に用いた消去パワーでの最適記録パワーを求めることとなってしまい、必ずしも所望の性能とできない場合がある。このような問題は、特に、初めて調整する媒体の場合顕著な問題となる。さらに、記録パワー、消去パワー決定に使用するアシンメトリ値は同一値であり、記録パワー決定時の消去パワーに対し、さらに消去パワーを調整する点は煩雑である。また、記録に使用する波形形状のパラメータは何ら言及されておらず、指針としては不明確で、記録ストラテジを含め、総合的な調整手法に関しての知見を得ることは難しい。
【００２９】
同様に、特許文献４、特許文献６においても、ストラテジパラメータは多数あり、各々はお互いに影響しあうので、その組合せや調整順番も重要である。記録ストラテジの１パラメータの調整に関してのみわかっても、他の様々な記録パラメータをどうのように調整していくかに関しては何ら記載されていない。したがって、必ずしも最良の記録性能を引き出す調整とすることはできない。
【００３０】
まとめると、消去と記録が一体で行われるオーバーライト可能な情報記録媒体への情報記録のための記録ストラテジ調整において、ストラテジを確実に、かつ速く調整できる汎用的な手法は、知られていなかった。
【００３１】
ここで、全てのパラメータの組合せを実行することも不可能ではないが、調整の方針をもたずに適当な組合せ、適当な手順を用いて、やみくもに調整を行っても、多大な時間を要するばかりである。このような方法では、調整が速くできないどころか、局所最適な調整に陥る可能性も高く、確実に記録ストラテジを調整できるとは限らない。
【００３２】
本願発明は、上記問題点を解決するために考案されたものである。本発明の目的は、消去と記録が一体で行われるオーバーライト可能な情報記録媒体への情報記録のために用いる、記録ストラテジの調整を、速く確実に実施する汎用的な手法を提供することである。
【００３３】
本発明による光学情報記録再生方法は、オーバーライトが可能な光学情報記録媒体に予め保持されている所定の情報を読み出すステップと、所定の情報と、媒体に情報を記録再生する装置に予め保持されている別の所定の情報と、所定の情報および別の所定の情報を混合した情報とからいずれかの情報を選択して、選択された情報に基づいて光学情報記録媒体に記録するための記録ストラテジを調整するステップと、調整された記録ストラテジに基づいて、記録信号を生成するステップとを具備する。ストラテジを調整するステップは、パルストレイン型ストラテジの波形における複数のパラメータのそれぞれに初期値を設定するステップと、複数のパラメータのそれぞれに設定された初期値に基づいて、第１記録パワーを選定するステップと、選定された第１記録パワーに基づいて、基準消去パワーを選定するステップと、複数のパラメータのそれぞれに設定された初期値と、選定された第１記録パワーと、選定された基準消去パワーとに基づいて、基準記録パワーを選定するステップと、複数のパラメータのそれぞれに設定された初期値と、選定された第１記録パワーと、選定された基準消去パワーと、基準記録パワーとに基づいて、基準冷却パルスの長さを選定するステップとを具備する。複数のパラメータのそれぞれに初期値を設定するステップは、波形が有する複数の記録パルスに共通する幅として、所定の記録パルス幅初期値を設定するステップと、波形が有する冷却パルスの幅として、所定の冷却パルス幅初期値を設定するステップと、波形が有するボトムパワーの値として、所定のボトムパワー初期値を設定するステップと、波形が有する消去パワーの値として、所定の消去パワー初期値を設定するステップとを具備する。第１記録パワーを選定するステップは、第１記録パワーの値として、所定の範囲に含まれる複数の値を順次設定するステップと、複数の値のそれぞれについて、光学情報記録媒体上に、選定された第１記録パワーに基づいて、信号を記録するステップと、複数の値のそれぞれについて、記録された信号を光学情報記録媒体から再生するステップと、複数の値のそれぞれについて、再生された信号に基づいて、アシンメトリ値を測定するステップと、測定されたアシンメトリ値に基づいて、最も好ましい第１記録パワーの値を選択するステップとを具備する。最も好ましい第１記録パワーの値を選択する基準は、第１記録パワーの値に対応する前記アシンメトリ値の絶対値が所定の値を超えていることである。基準消去パワーを選定するステップは、基準消去パワーの値として、所定の範囲に含まれる複数の値を順次設定するステップと、複数の値のそれぞれについて、光学情報記録媒体上に、設定された基準消去パワーで、信号の記録を行うステップと、複数の値のそれぞれについて、記録された信号を前記光学情報記録媒体から再生するステップと、複数の値のそれぞれについて、再生された信号に基づいて、振幅値と、アシンメトリ値とを測定するステップと、測定された振幅値と、アシンメトリ値とに基づいて、最も好ましい基準消去パワーの値を選定するステップとを具備する。最も好ましい基準消去パワーの値を選択する基準は、振幅値の減少率が最大値を迎える近傍の消去パワーより低い値で、かつ、アシンメトリ値の極性が先の第１記録パワー選定ステップの結果と同じで、かつ、アシンメトリ値の絶対値が最小となることである。
【００３４】
本発明による光学情報記録再生装置は、再生信号読み出し回路部と、記録ストラテジ調整部と、記録信号生成回路部とを具備する。ここで、再生信号読み出し回路部は、オーバーライトが可能な光学情報記録媒体に予め保持されている所定の情報を読み出すものである。記録ストラテジ調整部は、所定の情報と、自ら予め保持する別の所定の情報と、所定の情報および別の所定の情報を混合した情報とからいずれかの情報を選択して、選択された情報に基づいて光学情報記録媒体に記録するための記録ストラテジを調整するものである。記録信号生成回路部は、記録ストラテジ調整部が調整した記録ストラテジに基づいて記録信号を生成するものである。また、記録ストラテジ調整部は、パルストレイン波形パラメータ設定部と、第１記録パワー選定部と、基準消去パワー選定部と、基準記録パワー選定部と、基準冷却パルス選定部とを具備する。ここで、パルストレイン波形パラメータ設定部は、パルストレイン型ストラテジの波形における複数のパラメータのそれぞれに初期値を設定するものである。第１記録パワー選定部は、複数のパラメータのそれぞれに設定された初期値に基づいて、第１記録パワーを選定するものである。基準消去パワー選定部は、選定された第１記録パワーに基づいて、基準消去パワーを選定するものである。基準記録パワー選定部は、複数のパラメータのそれぞれに設定された初期値と、選定された第１記録パワーと、選定された基準消去パワーとに基づいて、基準記録パワーを選定するものである。基準冷却パルス選定部は、複数のパラメータのそれぞれに設定された初期値と、選定された第１記録パワーと、選定された基準消去パワーと、基準記録パワーとに基づいて、基準冷却パルスの長さを選定するものである。パルストレイン型ストラテジの波形における複数のパラメータのそれぞれに設定される初期値は、波形が有する複数の記録パルスに共通する幅として設定される所定の記録パルス幅初期値と、波形が有する冷却パルスの幅として設定される所定の冷却パルス幅初期値と、波形が有するボトムパワーの値として設定される所定のボトムパワー初期値と、波形が有する消去パワーの値として設定される所定の消去パワー初期値とを具備する。第１記録パワー選定部は、第１の設定部と、第１の記録部と、第１の再生部と、第１の測定部と、第１の選択部とを具備する。第１の設定部は、第１記録パワーの値として、所定の範囲に含まれる複数の値を順次設定するものである。第１の記録部は、複数の値のそれぞれについて、光学情報記録媒体上に、第１の設定部で設定された第１記録パワーで、信号の記録を行うものである。第１の再生部は、複数の値のそれぞれについて、第１の記録部で記録された信号を光学情報記録媒体から再生するものである。第１の測定部は、複数の値のそれぞれについて、第１の再生部で再生された信号に基づいて、アシンメトリ値を測定するものである。第１の選択部は、第１の測定部で測定されたアシンメトリ値に基づいて、最も好ましい第１記録パワーの値を選択するものである。最も好ましい第１記録パワーの値を選択する基準は、第１記録パワーの値に対応するアシンメトリ値の絶対値が所定の値を超えていることである。基準消去パワー選定部は、第２の設定部と、第２の記録部と、第２の再生部と、第２の測定部と、を具備する。第２の設定部は、基準消去パワーの値として、所定の範囲に含まれる複数の値を順次設定するものである。第２の記録部は、複数の値のそれぞれについて、光学情報記録媒体上に、第２の設定部で設定された基準消去パワーで、信号の記録を行うものである。第２の再生部は、複数の値のそれぞれについて、第２の記録部で記録された信号を光学情報記録媒体から再生するものである。第２の測定部は、複数の値のそれぞれについて、第２の再生部で再生された信号に基づいて、振幅値と、アシンメトリ値とを測定するものである。第２の選定部は、第２の測定部で測定された振幅値と、アシンメトリ値とに基づいて、最も好ましい基準消去パワーの値を選定するものである。最も好ましい基準消去パワーの値を選択する基準は、振幅値の減少率が最大値を迎える近傍の消去パワーより低い値で、かつ、アシンメトリ値の極性が先の第１記録パワー選定ステップの結果と同じで、かつ、アシンメトリ値の絶対値が最小となることである。
【図面の簡単な説明】
【００３５】
上記発明の目的、効果、特徴は、添付される図面と連携して実施の形態の記述から、より明らかになる。【００３６】
【図１】図１Ａは、記録ストラテジにおける、記録されるべきパターンの例を示す波形図である。図１Ｂは、記録ストラテジにおける、オーバーライト記録用のパルストレイン記録ストラテジの例を示す波形図である。図１Ｃは、記録ストラテジにおける、非オーバーライト記録用のパルストレイン型記録ストラテジの例を示す波形図である。図１Ｄは、記録ストラテジにおける、単純矩形型記録ストラテジの例を示す波形図である。図１Ｅは、記録ストラテジにおける、部分強調矩形型記録ストラテジの例を示す波形図である。
【図２】図２は、β値の定義について説明する図である。
【図３】図３は、図２に比し、マークがスペースに対し相対的に長くなった場合の一例を示す図である。
【図４】図４は、本発明の第１の実施形態による情報記録再生装置の概略を説明するためのブロック図である。
【図５】図５は、本発明の第１の実施形態による情報記録再生装置におけるシステムコントローラの概略を説明するためのブロック図である。
【図６】図６は、本発明の第１の実施形態における実施例で使用するＲＦ回路部の概略ブロック図である。
【図７】図７は、本実施形態における記録ストラテジの調整方法のフローチャートである。
【図８】図８Ａは、本発明によるパルストレイン型記録ストラテジの、記録されるべき５Ｔマークを説明する波形図である。図８Ｂは、本発明によるパルストレイン型記録ストラテジの、５Ｔマークにおけるパルストレイン波形を説明する波形図である。
【図９】図９は、記録マークが形成されていない領域に、消去パワーを実質的に付与しない条件で記録パワーＰｐを変えた時の再生信号の最大振幅値Ｖｐｐとアシンメトリβ値の関係の一例を示すグラフである。
【図１０】図１０は、記録パワーを第１記録パワーとして、消去パワーＰｅを上げていった時の、再生信号の最大振幅Ｖｐｐとアシンメトリβ値との関係の一例を示すグラフである。
【図１１】図１１は、記録パワーを上げても振幅が飽和傾向を示さない場合の例を示した図である。
【図１２】図１２は、消去パワーを基準消去パワーとして、記録パワーＰｐを下げていった時のアシンメトリ値βの変化の一例を示す図である。
【図１３】図１３は、パラメータ組Ｎｏ．１、２、３、４を示す表である。
【図１４】図１４は、あるパラメータ組における各々のパラメータ組における最良ＰＲＳＮＲ値の関係の一例を示したグラフである。
【図１５】図１５は、記録ストラテジ調整器の、コンピュータで実施する場合における構成を説明するためのブロック図である。
【図１６】図１６は、システムコントローラを、コンピュータで実施する場合における各機能を説明するためのブロック図である。
【発明を実施するための最良の形態】
【００３７】
以下、添付図面を参照して本発明の記録ストラテジ調整方法と、光学情報記録再生装置とを説明する。【００３８】
（第１の実施形態）
図４は、本発明の第１の実施形態による情報記録再生装置の概略を説明するためのブロック図である。本実施形態による情報記録再生装置は、スピンドル駆動系１２と、光ヘッド１３と、サーボコントローラ１４と、ＬＤ（Ｌａｓｅｒ  Ｄｉｏｄｅ、レーザダイオード）ドライバ１５と、変調器１６と、ＲＦ（Ｒａｄｉｏ  Ｆｒｅｑｕｅｎｃｙ）回路部１７と、復調器１８と、システムコントローラ１９とを具備する。【００３９】
光ヘッド１３は、対物レンズ２１と、ビームスプリッタ２２と、レーザダイオード２３と、光検出器２４と、プリアンプ２５とを具備する。【００４０】
図５は、本発明の第１の実施形態による情報記録再生装置におけるシステムコントローラ１９の概略を説明するためのブロック図である。システムコントローラ１９は、記録ストラテジ調整器２６と、ＣＰＵ２７とを具備する。【００４１】
スピンドル駆動系１２は、光ディスク１１に物理的に接続されている。スピンドル駆動系１２は、もう一方で、システムコントローラ１９に電気的に接続されている。システムコントローラ１９は、その他、サーボコントローラ１４と、ＬＤドライバ１５と、変調器１６とに接続されている。サーボコントローラ１４は、もう一方で、対物レンズ２１に電気的に接続されている。対物レンズ２１は、もう一方で、光ディスク１１に光学的に接続されている。変調器１６は、もう一方で、ＬＤドライバ１５に電気的に接続されている。ＬＤドライバ１５は、もう一方で、レーザダイオード２３に電気的に接続されている。レーザダイオード２３は、もう一方で、ビームスプリッタ２２に光学的に接続されている。ビームスプリッタ２２は、その他、対物レンズ２１と、光検出器２４とに、それぞれ光学的に接続されている。光検出器２４は、もう一方で、プリアンプ２５に電気的に接続されている。プリアンプ２５は、もう一方で、ＲＦ回路部１７に電気的に接続されている。ＲＦ回路部１７は、もう一方で、復調器１８と、システムコントローラ１９とに、それぞれ電気的に接続されている。復調器１８は、もう一方で、システムコントローラ１９に電気的に接続されている。システムコントローラ１９において、記録ストラテジ調整器２６は、ＣＰＵ２７に電気的に接続されている。【００４２】
本実施形態における一実施例について説明する。この実施例において、光ヘッド１３に用いられるＬＤ２３は、波長が４０５ｎｍ、ＮＡ（開口数）が０．６５のもので、最大出射可能パワーは１２ｍＷである。また、再生にはＰＲＭＬ検出を用い、ＰＲ（１、２、２、２、１）用のビタビ復号器を使用する。【００４３】
光ディスク１１、すなわち再生情報記録媒体としては、オーバーライト記録が可能なＨＤ  ＤＶＤ−ＲＷを用意する。今回このＨＤ  ＤＶＤ−ＲＷの記録層には、短波長対応の無機系材料が用いられている。この無機系材料は、記録を行うと反射率が低くなるタイプで、Ｈｉｇｈ−ｔｏ−Ｌｏｗメディアと呼ばれる種類の光ディスク１１を用いる。光ディスクの物理構造としては、ポリカーボネイトからなる、厚さが０．６ｍｍ、直径が１２ｃｍである円板状の透明な基板に、プリグルーブと呼ばれる案内溝が形成されている。記録及び再生時には、情報記録再生装置、即ち、光ディスクドライブの光ビームがこの案内溝に沿って走査できるようになっている。この基板上に記録用の膜が成膜されている。また、物理フォーマットとしては、ビットピッチが０．１５μｍ、トラックピッチが０．４０μｍのイングルーブ・フォーマットを使用した。変復調符号としては（１、７）ＲＬＬをベースとしたＥＴＭ（Ｅｉｇｈｔ  ｔｏ  Ｔｗｅｌｖｅ  Ｍｏｄｕｌａｔｉｏｎ）符号を用いる。【００４４】
本実施形態における情報記録再生装置の、各構成要素の動作を説明する。スピンドル駆動系１２は、光ディスク１１を駆動するためのものである。光ヘッド部１３は、光ディスク１１に光を照射し、また、その反射光を検出するためのものである。ＲＦ回路部１７は、入力信号にフィルタリング等の処理を行うためのものである。復調器１８は、入力信号を復調するためのものである。システムコントローラ１９は、装置全体を統括するためのものである。変調器１６は、記録すべき信号を変調するためのものである。ＬＤドライバ１５は、ＬＤ２３を駆動するためのものである。サーボコントローラ１４は、サーボ信号をコントロールするためのものである。ビームスプリッタ２２は、ＬＤ２３からの光を対物レンズ２１に反射させるとともに、光ディスク１１からの反射光を光検出器２４に通過させるためのものである。【００４５】
システムコントローラ１９の内部には、記録ストラテジ調整器２６が内蔵されている。記録ストラテジ調整器２６は、記録ストラテジの各パルスのパルス幅または、記録パワー、消去パワー、バイアスパワー等のパワー関係の調整をコントロールするためのものである。なお、システムコントローラ１９の内部には、所定の情報を予め記憶するための図示されない記憶部がさらに内蔵されていても良い。ここで記憶されている所定の情報については後述する。【００４６】
本発明の特徴的な要素は、図５のシステムコントローラ内部の記録ストラテジ調整器にある。本実施例では、ＲＦ回路部１７において、信号品質として振幅値、ＰＲＳＮＲ値、アシンメトリβ値を計測する。この計測結果は、振幅値またはアシンメトリ値と記録パワー又は消去パワーとの対応関係として記憶される。また、この計測結果は、各種条件における性能指標とその対応関係の判定に用いる所定の判定値と共にシステムコントローラ内のＣＰＵ２７に送られる。ＣＰＵ２７は、これらのデータを用いて各種判定、選択を行う。【００４７】
光検出器２４からの信号はＲＦ回路部１７に入力され、フィルタリング、イコライジング、ＰＬＬ等の処理を施される。ＰＲＭＬを使用する場合はここで、ビタビ復号等の処理も行われる。【００４８】
図６は、本実施例で使用するＲＦ回路部１７の概略ブロック図である。ＲＦ回路部１７は、プリフィルタ３１と、ＡＧＣ（Ａｕｔｏ  Ｇａｉｎ  Ｃｏｎｔｒｏｌｌｅｒ、オートゲインコントローラ）３２と、ＡＤＣ（Ａｎａｌｏｇ／Ｄｉｇｉｔａｌ  Ｃｏｎｖｅｒｔｅｒ、Ａ／Ｄコンバータ）３３と、ＰＬＬ（Ｐｈａｓｅ  Ｌｏｃｋｅｄ  Ｌｏｏｐ、フェーズロックドループ）３４と、適応等化器３５と、識別器３６と、信号品質算出器４０とを具備する。信号品質算出器４０は、ＰＲＳＮＲ算出器３７と、アシンメトリ算出器３８と、振幅算出器３９とを具備する。【００４９】
プリフィルタ３１は、ＡＧＣ３２に接続されている。ＡＧＣ３２は、もう一方で、ＡＤＣ３３と、アシンメトリ算出器３８と、振幅算出器３９とに接続されている。ＡＤＣ３３は、もう一方で、ＰＬＬ３４に接続されている。ＰＬＬ３４は、もう一方で、適応等化器３５に接続されている。適応等化器３５は、もう一方で、識別器３６と、ＰＲＳＮＲ算出器３７とに接続されている。識別器３６は、その他、適応等化器３５と、ＰＲＳＮＲ算出器３７とに接続されている。【００５０】
ＡＧＣを通過した信号は、β値算出器または振幅算出器にてアナログ的にアシンメトリβ値と振幅値が算出される。このβ値算出器または振幅算出器は、ピーク検出器と、ボトム検出器と、演算器とを具備する。【００５１】
このβ値算出器または振幅算出器は、これらの算出をデジタル的に行うことも可能である。その場合、ＡＤＣによってデジタル化された信号を用いて、その後、デジタル処理型β値算出器または振幅算出器にてアシンメトリβ値と振幅値が算出される構成例がある。このとき、デジタル処理型β値算出器または振幅算出器は、ピーク検出器と、ボトム検出器と、平均算出器と、演算器とを具備する。【００５２】
適応等化後の信号と、ビタビ復号後のデータ列信号とは、ＰＲＳＮＲ算出器に入力されて、ＰＲＳＮＲ値が計算される。ＰＲＳＮＲ計算時に必要な各時刻のノイズは、ビタビ復号後のデータ列信号と（１、２、２、２、１）ベクトルの畳み込み積分により求められる理想信号波形と、適応等化後の信号（実際信号波形）との差として算出される。なお、ＰＲＭＬ検出器においても、理想信号波形と適応等化後の信号（実際信号波形）の差を利用してアシンメトリ値は算出可能である。ＰＲＭＬ検出器を利用した場合には、パターン選別器を付加し、アシンメトリは最短マーク（スペース）による最小の再生振幅と最大の再生振幅を示す長マーク（スペース）からも算出可能である。また、最短マーク（スペース）よりも１Ｔ長いマーク（スペース）に対応する振幅と最大の再生振幅を示す長マーク（スペース）からも算出可能である。これは例えば最小マーク（スペース）が２Ｔ、２Ｔより１Ｔ長いマーク（スペース）が３Ｔ、最大振幅は８Ｔや１３Ｔということになる。【００５３】
記録ストラテジ調整器２６には、ＲＦ回路部１７からＰＲＳＮＲ値、アシンメトリ値、振幅値が送られてくる。また、記録ストラテジ調整器２６には、復調器１８から、復調されたデータ列から得られるＰＩエラー数が送られてくる。記録ストラテジ調整器２６は、これらのデータに基づいて、記録条件と信号品質の対応を認識し、一連の調整シーケンスをコントロールし、最適な記録ストラテジの調整を行う。なお、ＰＩエラー（数）とは、ＥＣＣ（Ｅｒｒｏｒ  Ｃｏｒｒｅｃｔｉｏｎ  Ｃｏｄｅ）のインナー側のパリティによってエラーがあることが検出された行のトータル数を意味し、エラーレートと定性的にほぼ等しい意味で使用される。【００５４】
このとき、記録ストラテジ調整器２６は、図７に示された調整方法をコントロールする。【００５５】
図７は、本実施形態における記録ストラテジの調整方法のフローチャートである。このフローチャートは、開始ステップと、パルストレイン波形パラメータ設定ステップＳ１００と、第１記録パワー選定ステップＳ２００と、基準消去パワー選定ステップＳ３００と、基準記録パワー選定ステップＳ４００と、基準冷却パルス幅選定ステップＳ５００と、探索設定範囲終了ステップＳ６００と、パルストレイン波形パラメータ変更ステップＳ７００と、最終ストラテジ選定ステップＳ８００と、終了ステップとを具備する。【００５６】
このフローチャートでは、開始ステップから、ステップＳ１００〜ステップＳ６００がこの順番に順次実行される。ステップＳ６００において、探索設定範囲が終了していれば、ステップＳ８００に進み、終了していなければ、ステップＳ７００に進む。ステップＳ７００において、パルストレイン波形パラメータを変更すると、ステップＳ１００に戻る。ステップＳ８００において、最終的なストラテジを選定すると、終了ステップに進む。【００５７】
記録ストラテジとしては、複数のパルスからなる（ｋ−１）規則のパルストレイン型のストラテジを用いる。これは、記録マーク長がｋＴ（ｋは２以上の自然数、Ｔはチャネルクロック周期）だった場合、例えば、ｋ−１個の記録（加熱）パルス群で形成されるという規則にて記録されるストラテジである。【００５８】
図８Ａ、図８Ｂは、本発明によるパルストレイン型記録ストラテジを説明する図である。図８Ａは、本発明によるパルストレイン型記録ストラテジの、記録されるべき５Ｔマークを説明する波形図である。図８Ｂは、本発明によるパルストレイン型記録ストラテジの、５Ｔマークにおけるパルストレイン波形を説明する波形図である。ここで、横軸は時間経過を表し、縦軸はパルス信号の強度を表す。【００５９】
まず、図７のフローチャートに図示しないステップとして、情報記録再生装置がディスクの特定領域に予め保持されている情報を読み込む。この情報とは、例えば、ディスクメーカ名、生産地、ディスクの種別の情報を含むＤｉｓｃ  Ｍａｎｕｆａｃｔｕｒｉｎｇ  ｉｎｆｏｒｍａｔｉｏｎである。これらの情報により、光ディスクが、媒体メーカＲ社製の媒体で、記録を行うと反射率が低くなるＨｉｇｈ−ｔｏ−ＬｏｗタイプのＨＤ  ＤＶＤ−ＲＷであることが判別される。ここで、これらの情報の一部または全てが不足する場合がある。このような場合に備えて、本発明による光学情報記録再生装置は、予め、想定できる媒体に対応した所定の情報を保持していることが望ましい。この所定の情報は、例えば、システムコントローラ１９に含まれる図示されない記憶部が記憶していても良い。媒体の素性が限定出来れば、本発明による光学情報記録再生装置は、所定の情報から対応する情報を選択して使用しても良い。また、媒体の素性が限定出来なければ、平均的なパラメータを初期値として使用しても良い。さらに、記録に係るパラメータとして、記録ストラテジでのパルス幅や記録パワーなどが媒体に保持されていれば、これらの記録に係るパラメータを利用しても良い。このとき、媒体の情報、装置の情報、双方を混合した組み合わせとしての情報、のいずれを利用するかについては、予め適宜取り決めて運用することが望ましい。引き続き、記録領域のサーチが行われ、どの領域にマークが記録されているかの判定が行われる。パターン列が形成されていない領域を特定し、図７のフローチャートに示した各ステップが順次実施される。【００６０】
パルストレイン波形パラメータ設定ステップＳ１００では、パルストレイン記録ストラテジにおいて、全ての記録（加熱）パルスを同一パルス幅とし、最終パルスに続く冷却パルスを所定の初期値に設定する。本例では、冷却パルスが存在しない状態（ゼロ値）として説明するが、初期値はこれに限定されない。例えば、設定できる最小値としておくとしてもよく、ゼロよりも大きい値となる場合もありうる。冷却による調整効果をはっきりさせる場合、できるだけ小さな（冷却幅が小さい）値としておくことが好ましい。図８Ｂでは、先頭パルスと、中間パルスと、最終パルスとが、記録（加熱）パルスに相当する。さらに、先頭パルスと、中間パルスと、最終パルスとは、全て同一のパルス幅０．４０Ｔ（Ｔはチャネルクロック周期）とする。また、パルストレインでのパルス幅探索範囲を０．４０Ｔから０．７０Ｔとし、この範囲内で変更する刻み幅を０．１０Ｔと設定する。【００６１】
ボトムパワーの影響は他のパラメータの影響で殆ど隠れてしまうことがわかっているので、本実施例では０．１ｍＷに固定する。【００６２】
消去パワーは実質的に付与しないパワーとして１．０ｍＷに固定する。この時点での冷却パルスは存在させない。【００６３】
第１記録パワー選定ステップＳ２００では、ステップＳ１００での設定を基に、出射最大パワーの半分程度の記録パワー６．０ｍＷから１．０ｍＷずつ増加させる。さらに、１ＥＣＣブロック単位で記録を行い、記録した領域を再生して、アシンメトリ値を測定する。この時、図９に示すような関係を得る。【００６４】
図９は、記録マークが形成されていない領域に、消去パワーを実質的に付与しない条件で記録パワーＰｐを変えた時の再生信号の最大振幅値Ｖｐｐとアシンメトリβ値の関係の一例を示すグラフである。このグラフにおいて、横軸は記録パワーＰｐを、縦軸の一方は記録パワーを変えた時の再生信号のアシンメトリβ値を、もう一方の縦軸は同じ再生信号に対応する振幅値Ｖｐｐを、それぞれ示している。なお、本例では振幅値は８Ｔ以上のマークスペースでの振幅とする。アシンメトリとしては−３０％を超えるパワーまで示してある。【００６５】
ここでは例えば、アシンメトリが−２５％となる記録パワーＰｐ＝１０ｍＷを選定する。これが第１記録パワー選定ステップＳ２００である。なお、アシンメトリは、記録パワーを上げていくと、マークがスペースに対し相対的に長くなっていくので変化する。また、所定の値としてはマークがスペースに対し相対的に長くなる方向をマイナス方向とすると、アシンメトリの値として−２５％程度以上が好ましいが、これに限定されるものではない。ここで２５％とは、本実施例の構成及び記録密度においては、最短マーク長においても十分な大きさのマークが記録されていることを示している。【００６６】
このステップでは、アシンメトリβ値を用いてマークが十分に形成できる記録パワーをみつける点が特徴となる。本発明においては、アシンメトリの絶対値が所定の値を超える記録パワーとすることで、余計な記録をする必要がなくなる。【００６７】
例えば、比較として、記録パワーを変化させ、特定マーク振幅の飽和の程度を検出する振幅飽和検出方法を例とする。この方法は、記録パワーを変化させ、振幅値が概ね一定となるまで記録を行い、振幅と記録パワーの関係から、マークが十分に形成できるパワーを得る方法である。つまり、振幅が概ね一定となるまでパワーを上げていく必要があるため、必要以上に記録を行う必要がある。さらに、図１１に示すように、記録パワーを上げていっても振幅が飽和傾向を示さない場合もあり、必ずしも良い方法とならない。【００６８】
基準消去パワー選定ステップＳ３００では、まず、第１記録パワー選定ステップＳ２００で選定されたパワー１０ｍＷを記録パワーとして固定する。次に、消去パワーを１ｍＷから５ｍＷまで、０．５ｍＷ刻みで増加しながら、ＥＣＣブロック単位で記録し、記録した領域を再生する。図１０に示すように消去パワーＰｅに対し、振幅値Ｖｐｐとアシンメトリβ値の対応関係が得られる。【００６９】
図１０は、記録パワーを第１記録パワーとして、消去パワーＰｅを上げていった時の、再生信号の最大振幅Ｖｐｐとアシンメトリβ値との関係の一例を示すグラフである。このグラフにおいて、横軸は消去パワーＰｅを、縦軸の一方は消去パワーを変えた時の再生信号のアシンメトリβ値を、もう一方の縦軸は同じ再生信号に対応する振幅値Ｖｐｐを、それぞれ示している。【００７０】
ここで、振幅値が顕著に変化減少する近傍の消去パワーより低く、アシンメトリの極性が先の第１記録パワー選定ステップの結果と同じ（本例では“−：マイナス”）で、かつその絶対値が最小となる、消去パワーのＰｅ＝４．０ｍＷを基準消去パワーとして選定する。【００７１】
基準記録パワー選定ステップＳ４００では、まず、基準消去パワー選定ステップＳ３００で求めたとおり、消去パワーを４．０ｍＷに設定する。次に、記録パワーを１０ｍＷから段階的に０．２ｍＷ刻みで８．０ｍＷまで低下させて、ＥＣＣブロック単位で記録し、記録した領域を再生する。記録パワーの低下に対して、基準消去パワー選定ステップＳ３００でのアシンメトリ値の極性とは極性が変化（本例では−：マイナスから＋：プラスへ変化）し、かつその絶対値が第２の所定の値以下となる記録パワーを、基準記録パワーとして選定する。【００７２】
ここで、第２の所定の値としては（＋）２％とする。従って、本例での記録パワーの変更刻み幅においては、図１２より、基準記録パワーは９．４ｍＷが選定される。これが第２の記録パワー選定ステップである。【００７３】
図１２は、消去パワーを基準消去パワーとして、記録パワーＰｐを下げていった時のアシンメトリ値βの変化の一例を示すグラフである。このグラフにおいて、横軸は記録パワーＰｐを、縦軸は記録パワーを変えた時の再生信号のアシンメトリβ値を、それぞれ示している。【００７４】
記録パワーＰｐを１０ｍＷから８．８ｍＷまで変えた場合のアシンメトリ値β（％）の変化として図１２に示すような関係が得られる。なお、第２の所定の値を＋２％としておき、以下のように、記録、記録した部分を再生、再生信号のβ値取得、所定の値を超えているか否かの判定、超えていない場合記録パワーを下げて記録を続ける手順を繰り返して、９ｍＷにて記録を行った時点で本ステップでの記録を止めるような構成としてもよい。【００７５】
続いて、基準冷却パルス幅選定ステップＳ５００においては、基準記録パワーを９．４ｍＷ、基準消去パワーを４．０ｍＷとする。そして、パルストレインの最後のパルスに続けて冷却パルスを配置し、該冷却パルスのパルス幅を略０．０３Ｔ刻みで増加させた複数のパルス幅条件に変更してパターン列を記録する。【００７６】
記録されたパターン列を再生して得られる各々の冷却パルス幅に対応した再生信号から得られる再生信号品質値を測定し、よりよい再生信号品質が得られる時の冷却パルス幅を基準冷却パルス幅として選定する。【００７７】
冷却パルス幅は０．０９Ｔの時にＰＲＳＮＲは２３となる。これが冷却パルス幅選定ステップである。【００７８】
探索設定範囲終了判定ステップＳ６００では、設定されたパルス幅の探索範囲の探索が終了していれば、最終ストラテジ選定ステップＳ８００に移る。今回は、設定されたパルス幅の探索範囲の探索は０．４０Ｔから０．７０Ｔなので、パルス幅がその範囲内となり、探索範囲が終了していないと判定される。そこで、パルストレイン波形パラメータ変更ステップＳ７００にて、パルス幅は０．５０Ｔとし、パルストレイン波形パラメータ設定ステップＳ１００に戻る。【００７９】
パルス幅が０．７０Ｔの時に対応するパラメータが選択されるまで、ステップＳ１００からステップＳ６００までの各ステップが繰り返された後、本例においてはパルス幅０．７０Ｔをもって探索範囲の探索が終了となり、最終ストラテジ選定ステップＳ８００に移る。【００８０】
この時点で、例えば基準記録パワー、基準消去パワー、基準冷却パルス幅、の組合せは図１３に示すように得られる。【００８１】
図１３は、パラメータ組Ｎｏ．１、２、３、４を示す表である。パラメータ組のそれぞれについて、パルス幅と、基準記録パワーと、基準消去パワーと、基準冷却パルス幅とが設定されている。【００８２】
最終ストラテジ選定ステップＳ８００では、この中から最良のＰＲＳＮＲ値または最小のＰＩエラー数となるパラメータ組Ｎｏ．３が選定される。【００８３】
なお、最終ストラテジ選定ステップＳ８００において、性能が同程度のパラメータ組があるような場合は、より性能劣化が少ない可能性のパラメータを選定する。これは例えば図１４に示すような場合隣の性能との差を比較することで、パラメータ組３が隣の性能との差が小さいので、パラメータ組３が選択されるような方法を用いてもよい。また、所定の性能以上となるパラメータ組の平均または中央値を算出することで最終パラメータとするとしてもよい。これは例えば、図１４にて、ＰＲＳＮＲ値が２０を上回るパラメータ組２と３の平均をパラメータとする場合、パルス幅は０．５５Ｔ、基準記録パワーは９．３ｍＷ、基準消去パワーは４．０ｍＷ、基準冷却パルス幅は０．０４５Ｔということになる。【００８４】
図１４は、あるパラメータ組における各々のパラメータ組における最良ＰＲＳＮＲ値の関係の一例を示したグラフである。このグラフにおいて、横軸はそれぞれのパラメータ組を、縦軸はそれぞれのパラメータ組に対応するＰＲＳＮＲを、それぞれ表す。【００８５】
なお、基準記録パワー選定ステップＳ４００において、所定の性能を満たしていれば、基準冷却パルス幅選定ステップＳ５００は、必ずしも実行しなくてもよいとすることができる。この場合、所定の性能をＰＲＳＮＲ値が２０程度とすると、基準記録パワー選定ステップＳ４００が終了した時点で、例えば図１３でのパラメータ組Ｎｏ．１ではＰＲＳＮＲは２１となる。ここで、最終調整まで実施した性能よりは劣るものの、装置によっては運用上問題とならない場合この手法を適用することで、より高速な調整とすることができる。【００８６】
また、ステップＳ３００において基準消去パワーが選定された後は、基準記録パワーの選定は、ステップＳ４００においてオーバーライト記録にて行われてもよい。【００８７】
また、以上得たパラメータを基準として、これに引き続き、さらに、記録パワーや消去パワーを探索するためのパワー変更刻み幅を小さくして、パワーの詳細調整を実施してもよい。この場合、オーバイライト記録にて詳細調整を行うのが好ましい。【００８８】
また、パワー以外の詳細調整として、パルストレインストラテジの先頭パルス幅の調整、最終パルス幅の調整を２Ｔ，３Ｔ、４Ｔ以上に分けてさらに詳細な調整を行うとしてもよい。【００８９】
また、記録マークの直前又は直後のスペース長に応じて、先頭または最終のパルス幅を調整するパターン対応の調整をしてもよい。この場合、調整時間は長くなるが、より高い性能を引き出すパラメータを見つけられる可能性がある。【００９０】
どの調整をどの程度まで行うかは、調整精度や調整時間に関わるので、様々な制約の兼ね合いで予め装置設計段階で決定されることが好ましい。【００９１】
以上述べたように、各パルス幅を同一とした規則性を有するパルストレインを用いて、まず、記録マークが十分形成されるパワーをみつける（第１記録パワー選定ステップＳ２００）。次に、その下に基準消去パワーを選定する（基準消去パワー選定ステップＳ３００）。次に、基準消去パワーの下に基準記録パワーを選定する（基準記録パワー選定ステップＳ４００）。さらに、冷却パルスを最後に調整する（基準冷却パルス幅選定ステップＳ５００）ことで、記録マークの歪みを補正することが可能となり、これにより線形性を高めることができる。それらの選定は、主にはアシンメトリ値を用い、さらに、アシンメトリ値がゼロとなる状態を目安に、記録パワー、消去パワー、若しくはパルストレインでの最終パルスに続く冷却パルスの幅により、アシンメトリ変化方向が変わるという知見を利用することで調整がなされる。【００９２】
図１５は、記録ストラテジ調整器２６の、コンピュータまたはコンピュータの一部として実施する場合における構成を説明するためのブロック図である。この場合、記録ストラテジ調整器２６は、メモリ５２と、入力装置５３と、出力装置５４と、これらを接続するバス５１とを具備するものとして捉えることが出来る。なお、記録ストラテジ調整器２６がコンピュータとして動作するために必要なＣＰＵは、図５に示されるように、記録ストラテジ調整器２６に接続されたＣＰＵ２７が使用される。【００９３】
上記に説明した本発明による記録ストラテジ調整方法は、図７に示される各ステップがそれぞれプログラムとしてコンピュータに実施されることが好ましい。【００９４】
図１６は、システムコントローラ１９を、コンピュータまたはコンピュータの一部として実施する場合における各機能を説明するためのブロック図である。この場合、記録ストラテジ調整器２６は、パルストレイン波形パラメータ設計部６１と、第１記録パワー選定部６２と、基準消去パワー選定部６３と、基準記録パワー選定部６４と、基準冷却パルス幅選定部６５と、探索設定範囲判断部６６と、パルストレイン波形パラメータ変更部６７と、最終ストラテジ選定部６８とを具備するものと捉えることが出来る。【００９５】
ここで、パルストレイン波形パラメータ設計部６１は、ステップＳ１００に対応する動作を行う。第１記録パワー選定部６２は、ステップＳ２００に対応する動作を行う。基準消去パワー選定部６３は、ステップＳ３００に対応する動作を行う。基準記録パワー選定部６４は、ステップＳ４００に対応する動作を行う。基準冷却パルス幅選定部６５は、ステップＳ５００に対応する動作を行う。探索設定範囲判断部６６は、ステップＳ６００に対応する動作を行う。パルストレイン波形パラメータ変更部６７は、ステップＳ７００に対応する動作を行う。最終ストラテジ選定部６８は、ステップＳ８００に対応する動作を行う。【００９６】
ステップＳ２００〜Ｓ５００は、それぞれ、所定範囲内におけるパラメータの設定と、設定されたパラメータによる光ディスクへの記録と、記録された信号の再生と、再生された信号に基づく測定と、測定結果に基づくパラメータの選定とが行われる。したがって、第１記録パワー選定部６２と、基準消去パワー選定部６３と、基準記録パワー選定部６４と、基準冷却パルス幅選定部６５とは、それぞれ、設定部と、記録部と、再生部と、測定部と、選定部とを具備するものと捉えることが出来る。【００９７】
（第２の実施形態）
本発明の第２の実施形態における情報記録再生装置の構成は、第１の実施形態とほぼ同様である。ただし、記録ストラテジ調整器２６での動作における基準記録パワー選定ステップＳ４００においてさらに別の動作が追加されている。これにより、パラメータ設定精度の制約を緩和できるので、より汎用的な調整が可能となる。【００９８】
本実施形態の特徴的となる基準記録パワー選定ステップＳ４００以降に関して、以下に説明する。なお、情報記録再生装置の構成に関する詳細な説明及び第１の実施形態と同様な処理となるステップＳ１００からステップＳ３００までの動作説明は省略する。【００９９】
基準記録パワー選定ステップＳ４００では、基準消去パワー選定ステップＳ３００で求めたとおり、消去パワーを４．０ｍＷに固定する。次に、記録パワーを１０ｍＷから段階的に０．２ｍＷ刻みで８．０ｍＷまで低下させて、ＥＣＣブロック単位で記録し、記録した領域を再生する。記録パワーの低下に対して、基準消去パワー選定ステップＳ３００でのアシンメトリ値の極性とは極性が変化（本例では−：マイナスから＋：プラスへ変化）し、かつその絶対値が第２の所定の値以下となる記録パワーを、基準記録パワーとして選定する。【０１００】
ここで、第１の実施形態と異なり、第２の所定の値としては（＋）５％とする。例えば記録パワーＰｐを１０ｍＷから８．８ｍＷまで変えた時、アシンメトリ値β（％）の変化として図１２に示すような関係が得られる場合を用いると、本実施形態での記録パワーの変更刻み幅においては、基準記録パワーは９．２ｍＷの場合と９．４ｍＷの場合の２つが選定される。これが第２の実施形態での第２の記録パワー選定ステップＳ４００である。【０１０１】
続いて、基準冷却パルス幅選定ステップＳ５００においては、２つの場合について基準冷却パルス幅として選定する。すなわち、基準記録パワーを９．２ｍＷ、基準消去パワーを４．０ｍＷとする場合（セットＡ）と、基準記録パワーを９．４ｍＷ、基準消去パワーを４．０ｍＷとする場合（セットＢ）との２通りである。【０１０２】
２つの場合のそれぞれについて、まず、パルストレインの最後のパルスに続けて冷却パルスを配置する。次に、該冷却パルスのパルス幅を略０．０３Ｔ刻みで増加させた複数のパルス幅に変更してパターン列を記録する。次に、記録されたパターン列を再生して得られる各々の冷却パルス幅に対応した再生信号から得られる再生信号品質値を測定する。こうして、よりよい再生信号品質が得られる時の冷却パルス幅を基準冷却パルス幅として選定する。【０１０３】
セットＡにおいて最良性能となる冷却パルス幅は０．０９Ｔの時にＰＲＳＮＲは２２となる。セットＢにおいて冷却パルス幅は０．０６Ｔの時にＰＲＳＮＲは２３となる。従って、この場合ＰＲＳＮＲがよりよいセットＢが選択される。本調整において選定される記録パワー、消去パワーはセットＢでのパワーとなり、冷却パルス幅は０．０６Ｔとする。これが第２の実施形態での冷却パルス幅選定ステップとなる。【０１０４】
探索設定範囲終了判定ステップＳ６００以降は、第１の実施形態と同様となるので、説明を省略する。【０１０５】
なお、第２の実施形態においても、第１の実施形態と同様に、基準記録パワー選定ステップＳ４００において、所定の性能を満たしていれば、基準冷却パルス幅選定ステップＳ５００は、必ずしも実行しなくてもよい。所定の性能としてはＰＲＳＮＲでは２０程度とすると、基準記録パワー選定ステップＳ４００において、性能の絶対値を示す指標にて基準記録パワーが選定されるのが好ましい。すなわち、本実施形態においては、基準記録パワー選定ステップＳ４００が終了した時点で、セットＡではＰＲＳＮＲは２０、セットＢではＰＲＳＮＲは２２となり、セットＢのパラメータが残ることになる。この場合、より高速な調整とすることができる。【０１０６】
このような方法が有効となる理由としては、冷却パルス幅の設定精度やその影響度が異なる場合があるからである。アシンメトリ値が０％以上で、第２の所定の値として＋５％〜＋１０％程度の範囲に含まれる値、例えば＋１０％の場合を考える。このとき、アシンメトリ値が０％から１０％の範囲に対応する記録パワーが求まるが、記録パワーはその検索パワーの刻み幅によって、アシンメトリが＋１０％以下となる場合が複数求まる場合もある。従って各々の組み合わせに対し、冷却パルス幅を調整した中で、絶対性能を示す指標にて最終的なパラメータの組合せを決める手法とすることで、より汎用的な方法となる。【０１０７】
（その他の実施形態）
本発明におけるパルス幅または記録及び消去パワーの設定範囲、及び変更刻み幅は、上記実施形態に限定されるものではなく、使用されるヘッドや回路構成により適宜変更されるのが好ましい。【０１０８】
また、上記実施形態では、試し記録に用いる領域単位を１ＥＣＣ単位としたが、これに限定されることはない。その場合、さらに細かい複数のセクター単位毎、または複数のフレーム単位毎、またはそれらの組み合わせとする場合がありうる。【０１０９】
また、本発明での記録パルスの調整（パルス幅の調整）において、パルスの変更位置は同一の前端または後端とするのが好ましい。【０１１０】
また、本発明は波長４０５ｎｍ、ＮＡ０．６５に限定されることなく、あらゆる波長、および開口数ＮＡに適応可能である。【０１１１】
また、上記実施形態ではＰＲ（１２２２１）というクラスを使用したがＰＲ（１２２１）、ＰＲ（３４４３）など他のクラスでも同様に使用することができる。【０１１２】
また、これまで変調符号としてＨＤ  ＤＶＤで採用されているＥＴＭを用いて説明したが、その他の変調符号でも同様に使用できる。その場合、例えば、ｋＴ（ｋは３以上の自然数）というような最短データ長となる場合もありうる。【０１１３】
また、上記実施形態では光ディスクとしてＨＤ  ＤＶＤを用いたが、ブルーレイディスク（ＢＤディスク）を使用しても良い。【０１１４】
また、記録されたマークが明るくなる方向の信号極性となる媒体で、いわゆる、Ｌｏｗ−ｔｏ−Ｈｉｇｈの極性となる場合、β値の極性は逆になることもありうる。【０１１５】
また、性能指標としてはＰＲＳＮＲ値を用いたが、他の性能指標を用いても良い。例えば、エラーバイト数やエラーレート（ＰＲＳＮＲはエラーレートへの換算も可能）を用いても良い。また、ＳＡＭ（Ｓｅｑｕｅｎｃｅ  Ａｍｐｌｉｔｕｄｅ  Ｍａｒｇｉｎ）を用いても良い。また、ＳＡＭをベースとした指標であっても基本的にエラーレート指標に置き換え可能な指標を用いても良い。また、エラーレートと定性的にほぼ等しい意味で使用されている指標である、所定のＥＣＣブロック数において発生するエラーバイト数やＥＣＣのインナー側のパリティによってエラーがあることが検出された行のトータル数であるＰＩエラーを用いてもよい。ＰＲＭＬ検出を用いない系では、ジッタを用いてもよい。【０１１６】
なお、本発明が上記各実施形態に限定されず、本発明の技術思想の範囲内において、各実施形態は適宜変更され得ることは明らかである。【０１１７】
本発明は高密度光ディスクの記録再生装置および記録ストラテジ調整法として、広く適用することができ、記録再生装置の信頼性を著しく高める効果を得ることができる。【０１１８】
本発明によれば、記録ストラテジの調整を、速く確実に実施することができる。その理由は、マークが十分に形成できる第１の記録パワーを高速に見つけ、その下に、基準消去パワーを高速に見つけることが可能であるからである。さらに、基準消去パワー選定で次のパラメータ探索範囲が絞りこまれている状態とできるからである。また、その上で、第１の記録パワーからパワーを下げればよいという必然的指針をもつことで、高速に基準記録パワーを求めることができるからである。【０１１９】
また、パラメータの変化によるアシンメトリ値の変化方向とその絶対値に注目することで、調整が局所最適となることが防げるので、確実な調整が可能となる。【０１２０】
また、記録調整のために使用する媒体の領域を少なく抑えることができる。その理由は、全てのパラメータの組合せを用いる場合に比し、見通しのある手順を用いているので、無駄をなくすことができるからである。さらに、手順として見通しをもつことで、記録ストラテジの調整を行うのに多くの経験や熟練した技術を要さず、広く汎用的な調整が可能となる。【０１２１】
本発明による光学情報記録再生プログラムは、本発明による光学情報記録方法におけるステップのそれぞれをコンピュータに実行させるための、コンピュータに読み込み可能なものである。
また、本発明による記録ストラテジ調整プログラムは、本発明による記録ストラテジ調整方法におけるステップのそれぞれをコンピュータに実行させるための、コンピュータに読み込み可能なものである。【０１２２】
本発明による記録媒体は、本発明による光学情報記録方法におけるステップのそれぞれをコンピュータに実行させるための、コンピュータに読み込み可能な光学情報記録再生プログラムを記録したものである。
また、本発明による記録媒体は、本発明による記録ストラテジ調整方法におけるステップのそれぞれをコンピュータに実行させるための、コンピュータに読み込み可能な記録ストラテジ調整プログラムを記録したものである。【０１２３】
以上、実施の形態を参照して本願発明を発明したが、本願発明は上記実施の形態に限定されるものではない。本願発明の構成や詳細には、本願発明のスコープ内で当業者が理解し得る様々な変更をすることができる。【０１２４】
なお、本願の基礎出願である特願２００８−７８９２２号の内容は、この出願番号の開示により本願に組み込まれるものとする。
【図１】
2009119632.tif 000003
【図２】
2009119632.tif 000004
【図３】
2009119632.tif 000005
【図４】
2009119632.tif 000006
【図５】
2009119632.tif 000007
【図６】
2009119632.tif 000008
【図７】
2009119632.tif 000009
【図８】
2009119632.tif 000010
【図９】
2009119632.tif 000011
【図１０】
2009119632.tif 000012
【図１１】
2009119632.tif 000013
【図１２】
2009119632.tif 000014
【図１３】
2009119632.tif 000015
【図１４】
2009119632.tif 000016
【図１５】
2009119632.tif 000017
【図１６】
2009119632.tif 000018
【国際調査報告】
2009119632.tif 000019
2009119632.tif 000020
2009119632.tif 000021
2009119632.tif 000022